(57)【要約】二層光追記型ディスク（１０）にデータを記録する方法であって、二層光追記型ディスクの第１レイヤー（２０）において第１レイヤービデオデータフラグメント（２８）を生成するステップであって、第１レイヤービデオデータフラグメントは、二層光追記型ディスクのデータゾーンにおける最小第１レイヤービデオデータ半径から二層光追記型ディスクのデータゾーンにおける外周半径まで広がり、外周半径はレイヤー境界（３８）を定める、ステップと、二層光追記型ディスクの第２レイヤー（２２）において第２レイヤービデオデータフラグメント（４０）を生成するステップであって、第２レイヤービデオデータフラグメントは、二層光追記型ディスクのデータゾーンにおける最小第２レイヤービデオデータ半径からレイヤー境界まで広がっている、ステップと、二層光追記型ディスクの内側半径から開始してレイヤー境界に等しいか又はレイヤー境界より小さい最大第１レイヤービデオデータ半径に到るまで、第１レイヤービデオデータフラグメントにビデオデータ（３２）を書き込むステップと、レイヤー境界から開始して、第２レイヤービデオデータフラグメントまでビデオデータを書き込むステップと、最大第１レイヤービデオデータ半径がレイヤー境界より小さい場合、最大第１レイヤービデオデータ半径からレイヤー境界まで拡大する第１レイヤービデオデータフラグメントにバッファセル（６６）を書き込むステップと、を有する方法について開示している。二層光ディスクにおいてデータを記録するための対応する二層光ディスク及び装置についてもまた、開示している。
2008537277.tif 000002
【特許請求の範囲】
【請求項１】
二層光追記型ディスクにデータを記録する方法であって：
前記二層光追記型ディスクの第１レイヤーにおいて第１レイヤービデオデータフラグメントを生成するステップであって、前記第１レイヤービデオデータフラグメントは、前記二層光追記型ディスクのデータゾーンにおける最小第１レイヤービデオデータ半径から前記二層光追記型ディスクのデータゾーンにおける外周半径まで広がり、前記外周半径はレイヤー境界を定める、ステップ；
前記二層光追記型ディスクの第２レイヤーにおいて第２レイヤービデオデータフラグメントを生成するステップであって、前記第２レイヤービデオデータフラグメントは、前記二層光追記型ディスクのデータゾーンにおける最小第２レイヤービデオデータ半径から前記レイヤー境界まで広がっている、ステップ；
前記二層光追記型ディスクの内側半径から開始して前記レイヤー境界に等しいか又は前記レイヤー境界より小さい最大第１レイヤービデオデータ半径に到るまで、前記第１レイヤービデオデータフラグメントにビデオデータを書き込むステップ； 
前記レイヤー境界から開始して、前記第２レイヤービデオデータフラグメントまでビデオデータを書き込むステップ；及び
前記最大第１レイヤービデオデータ半径が前記レイヤー境界より小さい場合、前記最大第１レイヤービデオデータ半径から前記レイヤー境界まで広がっている前記第１レイヤービデオデータフラグメントにバッファセルを書き込むステップ；
を有する方法。
【請求項２】
請求項１に記載の方法であって、前記第１レイヤービデオデータフラグメントの最小半径より小さい半径で前記第１レイヤーにおいて第１レイヤー編成データフラグメントを生成するステップを更に有する、方法。
【請求項３】
請求項２に記載の方法であって、前記記録の終了している間に、前記第１レイヤー編成データフラグメントに編成データを書き込むステップを更に有する、方法。
【請求項４】
請求項１に記載の方法であって、前記第２レイヤービデオデータフラグメントの最小半径より小さい半径で前記第２レイヤーにおいて第２レイヤーデータフラグメントを生成するステップを更に有する、方法。
【請求項５】
請求項４に記載の方法であって、前記第２レイヤーデータフラグメントにビデオデータ以外のデータファイルを書き込むステップを更に有する、方法。
【請求項６】
請求項１に記載の方法であって：
前記第１レイヤービデオデータフラグメントにビデオデータを書き込んでいる間に、書き込まれる次のデータ単位のサイズをモニタするステップ；及び
書き込まれる前記次のデータ単位の前記サイズが前記第１レイヤービデオデータフラグメントの書き込まれていない空間を超える場合、前記第２レイヤービデオデータフラグメントにビデオデータを継続して書き込むステップ；
を有する方法。
【請求項７】
請求項１の方法にしたがって記録されたビデオデータ及び他のデータを有する二層光ディスク。
【請求項８】
二層光ディスクにデータを記録するための装置であって、請求項１の方法にしたがってデータ担体にデータを書き込むように備えられている、装置。
【発明の詳細な説明】
【技術分野】
【０００１】
本発明は、二層光ディスクにデータを書き込む方法に関する。特に、本発明は、例えば、データ複写目的で、二層反復書き込み／読み出し（ＲＷ）データ担体と互いに互換性があるようにデータをレンダリングするように二層追記型（Ｒ）データ担体にデータを書き込む方法に関する。更に、本発明は、二層光ディスクにデータを記録するための二層光ディスク及び装置に関する。
【背景技術】
【０００２】
ＤＶＤデータ担体及びＤＶＤ装置の能力を保証するために、種々の基準が決められている。それらの基準の問題の１つは、ＤＶＤ＋ＲとＤＶＤ＋ＲＷとの間の互換性である。記録可能ディスク（ＤＶＤ＋Ｒ）を反復読み出し−書き込みディスク（ＤＶＤ＋ＲＷ）に対応させることにより、ＤＶＤ＋ＲＷディスクへの最終ＤＶＤ＋Ｒディスクの複写は、ＤＶＤ＋ＲＷについての共通の基準に基づいて編集されることが可能である。
【０００３】
ＤＶＤ＋Ｒビデオフォーマット規格は、二層記録可能ディスクへのビデオ記録を適応させるように拡大された。検討される必要のある問題の１つはレイヤージャンプである。上記の規格は、レイヤー境界の位置、即ち、ディスクにおけるユーザデータゾーンとディスクの外側領域との間の境界、即ち、“中央ゾーン”は、書き込み又は読み出しレーザビームの方向に見て、第２レイヤー、即ち、第１レイヤーの後のレイヤーを用いて、ビデオ記録が実際に開始するまで、固定されない。この条件は、ビデオ記録のアプリケーションがレイヤー境界とビデオファイルにおけるセルをアライメントすることをより容易にし、このアライメントはＤＶＤビデオ規格からの必要条件である。完全なアライメントは、通常は、可能ではなく、又は、少なくとも達成することが困難であるため、バッファセルが第１レイヤーに付加される必要がある。第２レイヤーは、その場合、新しいセルから開始する。バッファセルは、再生に含まれるセルのリストを有するプログラムチェーン（ＰＧＣ）には含まれない。
【０００４】
図５は、上記の概念を示している。二層ＤＶＤ＋Ｒディスク１１０の表面に対して垂直な断面の一部が示されている。ディスク１１０は、第２レイヤー１２０（Ｌ０）及び第２レイヤー１２２（Ｌ１）を有する。レイヤー境界１３８は、第１レイヤー１２０及び第２レイヤー１２２を中央ゾーン１１８から分離する。矢印１６２は、第１レイヤー１２０に書き込まれるときの径方向の書き込み方向を示す。矢印１６４は、第２レイヤー１２２に書き込まれるときの径方向の書き込み方向を示す。それぞれの再生方向に対応するそれらの書き込み方向１６２、１６４を考慮することにより、用語“中央ゾーン”が明確になる。データゾーンは２つのレイヤー１２０、１２２において利用可能であるが、ユーザ、即ち、アプリケーションは、論理的に連続している記録領域におけるように、これを“見る”。それ故、その領域１１８は“中央ゾーン”と称せられる。両方のレイヤー１２０、１２２は、セル１５４、１５６、１５８、１６０に分割される。径方向の書き込み方向を考慮する場合、それらのセルは連続的に書き込まれる、即ち、セル１５４はセル番号ｎ−１であり、セル１５６はセル番号ｎであり、セル１５８はセル番号ｎ＋１であり、セル１６０はセル番号ｎ＋２である。上記のセル１５４、１５６、１５８、１６０に加えて、バッファセル１６６が、レイヤー境界１３８に到るまで第１レイヤーを満たすように、第１レイヤー１２０に書き込まれる。
【０００５】
ビデオファイル及びデータファイルを断続的に記憶することを可能にするように、“ビデオ”及び“データ”について、別個のフラグメントを定めることが提案されている。二層ディスクにおいては、データフラグメントの開始は、典型的には、ビデオコンテンツについて十分な空間を割り当てるように第２レイヤーに位置付けられている。ＤＶＤ＋Ｒ二層基本フォーマット規格にしたがって、レイヤー境界の位置は、データが第２レイヤーに書き込まれていない限り、いつでも定められることができる。データフラグメントが第２レイヤーにおいて定められた時点で、そのレイヤー境界の位置は固定される必要がある。ここで、ビデオ記録のアプリケーションは、レイヤージャンプが行われるところを決定することができるという有利点を失う。セルは、境界に到達する前に、第１レイヤーにおいて完結し、バッファセルを挿入することによりその境界に到るまで第１レイヤーを入れ込み、次いで、第２レイヤーにおいて次のセルの書き込みを開始することが確実にされる必要がある。セルの端部は、可変ビットレート符号化のために、容易に予測できないため、その入れ込む量は実質的である。これは、ビデオバッファのオーバーフローを回避するように、ジャンプができるだけ高速に実行される必要があるために、望ましくない状態である。
【非特許文献１】Ｈｅｗｌｅｔｔ−Ｐａｃｋａｒｄ，Ｍｉｔｓｕｂｉｓｈｉ  Ｃｈｅｍｉｃａｌ，Ｐｈｉｌｉｐｓ，Ｒｉｃｏｈ，Ｓｏｎｙ，Ｙａｍａｄａ：ＤＶＤ＋Ｒ８．５Ｇｂｙｔｅｓ  Ｂａｓｉｃ  Ｆｏｒｍａｔ  Ｓｐｅｃｉｆｉｃａｔｉｏｎｓ（Ｖｅｒｓｉｏｎ０．９，Ｄｅｃｅｍｂｅｒ  ２００３）
【非特許文献２】Ｒｏｙａｌ  Ｐｈｉｌｉｐｓ  Ｅｌｅｃｔｒｏｎｉｃｓ：ＤＶＤ＋ＲＷ  Ｖｉｄｅｏ  Ｆｏｒｍａｔ  Ｓｐｅｃｉｆｉｃａｔｉｏｎｓ（Ｖｅｒｓｉｏｎ２．０，Ｏｃｔｏｂｅｒ  ２００３）
【非特許文献３】Ｒｏｙａｌ  Ｐｈｉｌｉｐｓ  Ｅｌｅｃｔｒｏｎｉｃｓ：ＤＶＤ＋Ｒ  Ｖｉｄｅｏ  Ｆｏｒｍａｔ  Ｓｐｅｃｉｆｉｃａｔｉｏｎｓ（Ｐｒｅｌｉｍｉｎａｒｙ  Ｖｅｒｓｉｏｎ１．９，Ｊａｎｕａｒｙ  ２００４）
【非特許文献４】ＤＶＤ  Ｓｐｅｃｉｆｉｃａｔｉｏｎｓ  ｆｏｒ  Ｒｅａｄ−Ｏｎｌｙ  Ｄｉｓｃ−Ｐａｒｔ  ３：Ｖｉｄｅｏ  Ｓｐｅｃｉｆｉｃａｔｉｏｎｓ（Ｖｅｒｓｉｏｎ１．１，Ｄｅｃｅｍｂｅｒ  １９９７，ｉｎｃｌｕｄｉｎｇ  ｓｕｐｐｌｅｍｅｎｔａｌ  ｉｎｆｏｒｍａｔｉｏｎ  ｕｐ  ｔｏ  Ｊａｎｕａｒｙ  ２００１
【発明の開示】
【課題を解決するための手段】
【０００６】
本発明の目的は、記録中のレイヤージャンプは短い時間スケールで実行されることができることに基づいて、二層光ディスクにデータを記録する方法を提供することである。
【発明が解決しようとする課題】
【０００７】
上記の目的は、独立請求項の特徴により達成される。本発明の更なる成果及び好適な実施形態については、従属請求項に記載されている。
【０００８】
本発明にしたがって、二層追記型光ディスクにデータを記録する方法であって：
−  光ディスクの第１レイヤーにおいて第１レイヤービデオデータフラグメントを生成する段階であって、第１レイヤービデオデータフラグメントは、ディスクのデータゾーンにおける最小の第１レイヤービデオデータ半径からディスクのデータゾーンにおける外周半径の方に広がり、その外周はレイヤー境界を定めている、段階；
−  光ディスクの第２レイヤーにおいて第２レイヤービデオデータフラグメントを生成する段階であって、第２レイヤービデオデータフラグメントはディスクのデータゾーンにおける最小の第２レイヤービデオデータ周からレイヤー境界の方に広がっている、段階；
−  レイヤー境界に等しい又はそれより小さい最大の第１レイヤービデオデータ半径に到るまでディスクの内周半径から開始して、第１レイヤービデオデータフラグメントにビデオデータを書き込む段階；
−  レイヤー境界から開始して、第２レイヤービデオデータフラグメントにビデオデータを書き込む段階；及び
−  最大の第１レイヤービデオデータ半径がレイヤー境界より小さい場合、最大の第１レイヤービデオデータ半径からレイヤー境界の方に広がっている第１レイヤービデオデータフラグメントにバッファセルを書き込む段階；
を有する方法を提供する。
【０００９】
それ故、バッファセルの書き込みは、ビデオ記録が終了するまで遅らせる。これは、ビデオデータフラグメントがレイヤー境界において広がっているときには可能でないため、２つのビデオデータフラグメント、即ち、第１レイヤーにおける第１レイヤービデオデータフラグメント及び第２レイヤーにおける第２レイヤービデオデータフラグメントが与えられる。それらのフラグメントの間の境界は、まさに、レイヤー境界である。レイヤージャンプは、ここでは、第１レイヤーにおける最後のセルが書き込まれた直後に実行されることが可能である。次のセルが、続いて、第２レイヤービデオデータフラグメントに書き込まれる。ビデオの記録が終了した後。第１レイヤービデオデータフラグメントは、そのフラグメントの端部に到るまでバッファセルを書き込むことにより完了する。
【００１０】
本発明の好適な実施形態にしたがって、その方法は、第１レイヤービデオデータフラグメントの最小半径より小さい半径で第１レイヤーにおける第１レイヤー編成データフラグメントを生成する段階を更に有する。この第１レイヤー編成データフラグメントは、ビデオの記録、例えば、ファイルシステム情報、ＤＶＤビデオデータベースファイル、即ち、ｉｆｏ−ｆｉｌｅとしてもまた、知られている情報ファイル及びＤＶＤメニューが終了した後、ディスクに編成データを記憶するために専用である。ＤＶＤビデオフォーマットは、このデータがビデオデータの前に記録されることを必要とする。
【００１１】
これに関連して、本発明は更に、記録の終了において第１レイヤー編成データフラグメントに編成データを書き込む段階を更に有する。
【００１２】
本発明の更なる特徴にしたがって、その方法は、第２レイヤービデオデータフラグメントの最小半径より小さい半径で第２レイヤーにおいて第２レイヤーフラグメントを生成する段階を更に有する。この第２レイヤーデータフラグメントは、例えば、ＪＰＥＧファイルを記憶するために、データ部に確保されている。ＤＶＤ＋Ｒ８．５Ｇｂｙｔｅｓ  Ｂａｓｉｃ  Ｆｏｒｍａｔ  Ｓｐｅｃｉｆｉｃａｔｉｏｎｓにしたがって、この“データ部”はまた、“不完全フラグメント”と呼ばれる。
【００１３】
これに関連して、本発明は、第２レイヤーデータフラグメントにビデオデータ以外のデータファイルを書き込む段階を更に有する。
【００１４】
本発明の更なる特徴にしたがって、その方法は：
−  第１レイヤービデオデータフラグメントにビデオデータを書き込む間に、書き込まれる次のデータ単位のサイズをモニタする段階；及び
−  書き込まれる次のデータ単位のサイズが第１レイヤービデオデータフラグメントの書き込まれていない空間を超える場合、第２レイヤービデオデータフラグメントにビデオデータを書き込み続ける段階；
を有する。
【００１５】
ＤＶＤ＋ＲＷビデオフォーマットにおけるセルは約３６ＭＢのサイズを有する。それは、各々がビデオの０．４乃至１秒の間で表されるＶＯＢＵ（ビデオオブジェクトユニット）のシーケンスを有する。セルにおけるＶＯＢＵの数はビットレートに依存し、そのビットレートは、通常、可変であり、一定のピクチャ品質を目標としている。この意味で、次のＶＯＢＵのサイズは、第１レイヤービデオデータフラグメントのサイズを超えないようにモニタリングされる。第１レイヤービデオデータフラグメントにおいて残っている自由空間は、第２レイヤーにおけるビデオ記録が終了した後に、バッファセルにより埋められる。
【００１６】
本発明にしたがって、本発明にしたがって記録されたビデオデータ及び他のデータを有する二層光ディスクを更に提供する。
【００１７】
本発明にしたがって、二層光ディスクにデータを記録するための装置であって、本発明にしたがってデータ担体にデータを書き込むように備えられている、装置を更に提供する。
【００１８】
本発明の上記の及び他の特徴は、以下に詳述する実施形態を参照することにより明らかになり、理解することができる。
【発明を実施するための最良の形態】
【００１９】
図１は、種々のパーティション及びディスクに記録されたデータを有する二層ＤＶＤ＋Ｒディスクの断面を模式的に示している。二層光ディスク１０は、リードインゾーン１４により後続される内側の駆動領域１２を有する。リードインゾーン１４から半径方向の外側方向に、中央ゾーン１８により後続されるデータゾーン１６が位置付けられている。上記ゾーン全てが、第１レイヤー２０及び第２レイヤー２２に分割されている。データゾーン１６は更にパーティション化されている。書き込み方向に、データゾーン１６の境界からリードインゾーン１４の方に開始して、データゾーンは、１つ、２つ又は更にそれ以上の予約フラグメント２４を有する。それらのフラグメントは、編成データを記憶するためにビデオ記録の後に用いられる。現在用いられているＤＶＤ＋Ｒビデオフォーマットにおいては、予約領域は１つの予約フラグメントのみを有する。データについて、別個のフラグメントが存在する場合、このことは尚も、有効である。しかしながら、そのデータフラグメントは、ＵＤＦ１．５基準からの要素を用いることが可能であるファイルシステムデータを有する。このことの有利点は、ディスクがＰＣにおいて読み出されることが可能であることである。中間状態における記録可能ディスクの場合、一部のデータ（ＡＶＤＰ）はセクタ５１２に記録される。ＵＤＦ１．５の６．１０．１節を参照されたい。実際には、１６個のセクタが、これがＤＶＤ＋Ｒディスクにおける最小の記録可能であるために、書き込まれる。データは、予約領域がフラグメントの始まりからである場合に、予約領域においてのみ書き込まれることが可能である。それ故、予約領域は、セクタ５１２の前の１番目のフラグメント及びセクタ５１２以降の２番目のフラグメントにおいて分割される必要がある。同様の理由により、妥当な３つ以上のフラグメントを使用することが可能である。リードインゾーン及び中央ゾーンにおいてランイン領域を有する各々のレイヤーにおける第１フラグメントを除いて、全ての予約フラグメントは、小さいランインゾーンにより先行される。ランインゾーン２６は、第１レイヤービデオデータフラグメント２８により後続される。第１レイヤービデオデータフラグメント２８は、バッファ３０と、ビデオ及びファイルシステムデータ３２と、ＲＳＡＴ領域３４とを有する。ＲＳＡＴ領域３４は、予約空間割り付けテーブル（ＲＳＡＴ）のために備えられている。ＲＳＡＴについては、米国特許出願公開第２００３／００６８１５９号明細書に記載されていて、ＲＳＡＴに関して、その文献の記載を援用することにより本明細書の説明の一部を代替する。ＲＳＡＴ領域３４は、レイヤー境界３８に到るまで第１レイヤービデオデータフラグメントの記録されていない部分３６により後続される。更なるビデオデータは、矢印３８により示されているように、この記録されていない部分３６を用いることにより付加される。第１レイヤービデオデータフラグメントにビデオデータを書き込んでいる間に、次のＶＯＢＵのサイズがモニタされる。書き込まれる次のＶＯＢＵのサイズが、第１レイヤービデオデータフラグメントの記録されていない部分を超える又は超えるように予測される場合、記録は第２レイヤー２２において続けられる。このために、第２レイヤービデオデータフラグメント４０が第２レイヤー２２に備えられる。第２レイヤービデオデータフラグメントに続いて、ランインゾーン４２が備えられる。ランインゾーン４２は第２レイヤーデータフラグメント４４、即ち、所謂、不完全フラグメントにより後続される。データ４６は第２レイヤーデータフラグメント４４に書き込まれ、更なるデータファイルが、矢印５０で示されているように、第２レイヤーデータフラグメント４４の記録されていない部分４８に付加される。第２レイヤービデオデータフラグメントに後続する付加フラグメントを備えることが可能である。レイヤー境界３８がそれらの２つのフラグメント２８、４０のまさに間にあるように、第１レイヤービデオデータフラグメント２８及び第２レイヤービデオデータフラグメント４０を定めることにより、レイヤージャンプが、矢印５２により示すように、第１レイヤー２０におけるビデオ記録を終了した直後に実行されることができる。レイヤー境界３８に到るまでバッファセルを書き込むためにビデオ記録を“中断する”必要はなく、ビデオ記録は、第２レイヤー２２においてすぐに継続されることが可能である。第１レイヤー２０で満たすためのバッファセルは、第２レイヤー２２へのビデオ記録が終了した後に、書き込まれることが可能である。
【００２０】
図２は、本発明にしたがった二層光ディスクを示している。セル５４、５６、５８、６０は、矢印６２、６４の方向に連続的に書き込まれる一方、バッファセル６６は、ビデオ記録を終了した後に書き込まれる。それ故、記録処理の結果として、図２にしたがった二層レイヤーディスク１０は、図５にしたがった上記の従来技術における二層ディスク１１０と同じセル構造を有する。例示として、図２にしたがったバッファセル６６は、図５にしたがったバッファセル１６６より小さい。これは、第１レイヤーにおける可変長セルのサイズ及びレイヤー境界の位置に応じて、バッファセルのサイズが変わることを示すためのものである。
【００２１】
図３は、本発明にしたがった装置を示している。二層ＤＶＤ＋Ｒディスクのための支持部を有するＤＶＤ＋Ｒ／ＲＷドライブを有するＰＣ（パーソナルコンピュータ）又はＣＥ（汎用電気製品）の模式図は、オーディオ（Ａ）及びビデオ（Ｖ）データが入力されるＡ／Ｖエンコーダ６８を有する。更に、マルチプレクサ／フォーマッタが、リアルタイムにオーディオ及びビデオストリームを結合し、ＤＶＤ＋ＲＷビデオフォーマットにしたがって必要なヘッダ及びメタデータを付加するように備えられている。ビデオバッファ７２が、マルチプレクサ／フォーマッタからデータを受信するために備えられている。ビデオバッファ７２はデータハンドラ７４と通信する。データハンドラ７４はまた、ディスクドライブ７６と通信する。データハンドラ２４とディスクドライブ７６との間のインターフェースは、好適には、制御及び読み出し／書き込みデータのためのＭＭＣ（マルチメディアコマンドセット）コマンドを伴うＩＤＥ（集積装置エレクトロニクス）インターフェースである。
【００２２】
図４は、本発明にしたがった方法を示すフローチャートである。ＤＶＤ＋Ｒ／ＲＷビデオフォーマットにしたがってレイアウトされたＤＶＤ＋Ｒディスクにおける、データを有するドライブにおけるＤＶＤ＋Ｒディスクの存在下で、準備フェーズ及びビデオ記録フェーズがステップＳ０１において開始される。先ず、ユーザデータゾーンの内側部分において、好適には、ＤＶＤ＋Ｒディスクのユーザデータゾーンの開始時に、予約フラグメント（トラック）を生成することにより行われる。次のステップＳ０３において、ユーザデータゾーンの外側部分において第１レイヤービデオデータフラグメントが、ユーザデータゾーンの端部に到るまで、即ち、レイヤー境界に到るまで生成される。ステップＳ０４において、第２レイヤービデオデータフラグメントが、レイヤー境界の端部に到るまでユーザデータゾーンの外側部分において生成される。ステップＳ０５において、ユーザデータゾーンの内側部分において第２レイヤーデータフラグメント、即ち、所謂、不完全フラグメントが生成される。準備フェーズを構成する一連のステップＳ０２、Ｓ０３、Ｓ０４及びＳ０５は変えられることが可能である。準備フェーズの後、ビデオ記録フェーズがステップＳ０６において開始する。ビデオデータは、ＤＶＤ＋ＲＷビデオフォーマットにしたがって、圧縮され、多重化され、そしてＶＯＢＵ及びセルにフォーマット化される。その出力は、ビデオバッファに連続的に供給される。ステップＳ０７にしたがって、データは、ビデオバッファから第１レイヤービデオデータフラグメントに書き込まれる。ステップＳ０８にしたがって、データハンドラはビデオバッファの十分度をモニタし、ビデオバッファの特定の十分度レベルに到達するとすぐ、ディスクにおける第１レイヤービデオデータフラグメントにデータを書き込む。ディスクにデータを書き込むレートは、多重化ストリームのビットレートの少なくとも２倍である。典型的には、二層ディスクの書き込み速度は２．４ｘ１１．０８Ｍｂ／ｓｅｃである。多重化ストリームのビットレートは可変であり、最大１０．０８Ｍｂ／ｓｅｃである。第１レイヤーの端部に近づくとき、データハンドラは、ステップＳ０９にしたがって、ＶＯＢＵ最大サイズ（即ち、１秒のＶＯＢＵにおいて約１０Ｍｂ）を考慮する。特定のＶＯＢＵの端部において残されているＶＯＢＵがその最大サイズより小さいとき、次のセルは、第１レイヤービデオデータフラグメントには書き込まれないが、ステップＳ１０にしたがって第２レイヤーに位置付けられている第２レイヤービデオデータフラグメントに書き込まれる。書き込みは、ビデオ記録の端部まで、第２レイヤーにおいて継続される（ステップＳ１１）。
【００２３】
ビデオ記録の後、ディスク更新フェーズが開始する。一のステップにおいて、バッファセルが、第１レイヤーの端部に到るまでパディングするために、第１レイヤービデオデータフラグメントに付加される。他のステップにおいて、データ、特に、ＤＶＤメニュー及び情報ファイル、ＤＶＤ＋ＲＷビデオファイル（バックアップを有するビデオ記録管理情報（ＶＲＭＩ））、ファイルシステムデータ、ＲＳＡＴが、第２レイヤービデオデータフラグメントに付加される。
【００２４】
更新フェーズの後、ユーザがディスクに何れの更なる記録を付加しないと決定したときに、終了化がユーザにより開始される。
【００２５】
上記されていない同等なもの又は変形がまた、同時提出の特許請求の範囲に記載されている本発明の範囲から逸脱することなく、実施されることが可能である。
【図面の簡単な説明】
【００２６】
【図１】種々のパーティション及びディスクに記録されたデータを有する二層ＤＶＤ＋Ｒディスクの断面の模式図である。
【図２】本発明にしたがった二層光ディスクの断面図である。
【図３】本発明にしたがった装置を示す図である。
【図４】本発明にしたがった方法を示すフローチャートである。
【図５】従来技術にしたがった二層光ディスクの断面図である。
【図１】
2008537277.tif 000003
【図２】
2008537277.tif 000004
【図３】
2008537277.tif 000005
【図４】
2008537277.tif 000006
【図５】
2008537277.tif 000007
【国際調査報告】
2008537277.tif 000008
2008537277.tif 000009
2008537277.tif 000010
2008537277.tif 000011